【手続補正書】
【提出日】平成19年2月16日(2007.2.16)
【手続補正１】
【補正対象書類名】明細書
【補正対象項目名】特許請求の範囲
【補正方法】変更
【補正の内容】
【特許請求の範囲】
【請求項１】ａ）熱硬化性ポリエステル；
ｂ）懸濁用充填剤；
ｃ）燐光顔料；
ｄ）重合触媒；および
ｅ）ガラス繊維織物である強化織物を含む補強材；
を含む発光ポリマー。
【請求項２】ａ）熱硬化性ポリエステル樹脂；
ｂ）ビニリデンモノマー；
ｃ）懸濁用充填剤；
ｄ）チキソトロピー変性剤；
ｅ）紫外線安定剤；および
ｆ）燐光顔料；
を含み、前記熱硬化性ポリエステル樹脂が、
ｉ）無水マレイン酸、マレイン酸、フマル酸、メタクリル酸、アクリル酸、イタコン酸およびシトラコン酸から成る群より選択されるエチレン不飽和ジカルボン酸または無水物成分；
ｉｉ）無水フタル酸、イソフタル酸、フタル酸、無水クロレンド酸、無水テトラブロモフタル酸、無水テトラクロロフタル酸、テトラヒドロフタル酸およびその無水物、アジピン酸、コハク酸、スベリン酸、セバシン酸、アゼライン酸、テレフタル酸およびそれらの混合物から成る群より選択される芳香族ジカルボン酸または無水物成分；および
ｉｉｉ）ネオペンチルグリコール、プロピレングリコール、エチレングリコール、ジエチレングリコール、ジプロピレングリコール、ジブロモネオペンチルグリコール、ビスフェノールジプロポキシエーテル、２，２，４−トリメチルペンタン−１，３−ジオール、テトラブロモビスフェノールジプロポキシエーテル、１，４−ブタンジオール、ビスフェノールＡ付加物、水素化ビスフェノールＡ、ＤＣＰＤヒドロキシ付加物、およびそれらの混合物から成る群より選択される二価アルコール；
から成る発光ポリマー。
【請求項３】（ａ）熱硬化性ポリエステル樹脂；
（ｂ）ビニリデンモノマー；
（ｃ）懸濁用充填剤；
（ｄ）チキソトロピー変性剤；
（ｅ）紫外線安定剤；および
（ｆ）燐光顔料；
を含み、前記熱硬化性ポリエステル樹脂が、
（ｉ）無水マレイン酸、フマル酸、マレイン酸およびそれらの混合物から成る群より選択される不飽和成分；
（ｉｉ）無水フタル酸、イソフタル酸およびフタル酸から成る群より選択される芳香族成分；および
（ｉｉｉ）ネオペンチルグリコール、プロピレングリコール、エチレングリコール、ジエチレングリコール、ジプロピレングリコール、ジブロモネオペンチルエチレングリコール、ビスフェノールジプロポキシエーテル、２，２，４−トリメチルペンタン−１，３−ジオール、テトラブロモビスフェノールジプロポキシエーテル、１，４−ブタンジオール、ビスフェノールＡ付加物、水素化ビスフェノールＡ、ＤＣＰＤヒドロキシ付加物、およびそれらの混合物から成る群より選択されるグリコール；
から成る発光ポリマー。
【請求項４】光ルミネセント・熱ルミネセントポリマーに重合触媒を加えて、物品の表面にゲルコートとして塗布することにより製造される、光ルミネセント・熱ルミネセントゲルでコート付き物品であって、
前記光ルミネセント・熱ルミネセントポリマーが、
ａ）熱硬化性ポリエステル樹脂；
ｂ）懸濁用充填剤；および
ｃ）光ルミネセント・熱ルミネセントの燐光粒子；
を含む光ルミネセント・熱ルミネセントゲルコート付き物品。
【請求項５】熱硬化性ポリエステル樹脂と、懸濁用充填剤と、光ルミネセント・熱ルミネセントの燐光粒子とを含む光ルミネセント・熱ルミネセントポリマーに重合触媒を加えることにより形成されるコート付き物品であって、触媒された光ルミネセント・熱ルミネセントポリマーをゲルコートとして利用して、積層品、注型品、および成形品から成る群より選択されるコート付き物品が形成される、コート付き物品。
【請求項６】光ルミネセント・熱ルミネセントのポリマーに重合触媒を加えて、光ルミネセント・熱ルミネセントの物品を形成する既存の物品に塗布することにより製造される、光ルミネセント・熱ルミネセント物品であって、光ルミネセント・熱ルミネセントポリマーが熱硬化性ポリエステル樹脂、懸濁用充填剤および光ルミネセント・熱ルミネセントの燐光粒子を含む、発光性・熱ルミネセント物品。
【請求項７】既存の物品は光ファイバー材料またはＵＶ電球である請求項６に記載の光ルミネセント・熱ルミネセント物品。
【請求項８】光ルミネセント・熱ルミネセントポリマーはさらに軟質ポリエステル成分を含み、光ルミネセント・熱ルミネセントポリマーが光ルミネセント・熱ルミネセントの織物または衣料品を形成するために織物に塗布される請求項６に記載の光ルミネセント・熱ルミネセント物品。
【請求項９】光ルミネセント・熱ルミネセントポリマーが難燃性樹脂および難燃性添加物から成る群より選択される難燃性材料をさらに含む請求項６に記載の光ルミネセント・熱ルミネセント物品。
【請求項１０】前記難燃性樹脂が、無水クロレンド酸、無水テトラブロモフタル酸、ジブロモネオペンチルグリコール、無水テトラクロロフタル酸、酸化デカブロモジフェニル（ＤＢＤＰＯ）（エーテル）、ブロモビスフェノール−Ａおよび酸化ペンタブロモジフェニルから成る群より選択される反応性中間体を含む請求項９に記載の光ルミネセント・熱ルミネセント物品。
【請求項１１】前記難燃性添加物が、イオン臭素、臭化ホスホニウム、アルミナ三水和物、水酸化マグネシウム、燐酸エステル、ビニルホスホネート、ビス（ヒドロカルビル
）ビニルホスホネートおよびその縮合生成物、酸化アンチモン、ホウ酸亜鉛、メタホウ酸バリウム、モリブデン化合物、炭酸マグネシウムおよびこれらの添加剤の混合物から成る群より選択される、請求項項９に記載の光ルミネセント・熱ルミネセント物品。
【請求項１２】光ルミネセント・熱ルミネセントポリマーが織物に塗布され、衣類および熱気球から成る群より選択される難燃性物品を形成するために使用される請求項９に記載の光ルミネセント・熱ルミネセント物品。
【請求項１３】発光ポリマーコート付き表面を製造する方法であって、
（ａ）熱硬化性ポリエステル樹脂、ビニリデンモノマー、懸濁用充填剤、チキソトロピー変性剤、紫外線安定剤および燐光顔料の混合により発光ポリマー樹脂を調整する工程；
（ｂ）重合触媒を加えて、触媒された発光ポリマー樹脂を形成する工程；および
（ｃ）触媒された発光ポリマー樹脂を、表面に塗布する工程；から成る方法。
【請求項１４】発光ポリマーを塗布した表面の少なく１部分を有し、該発光ポリマーコート付き表面は請求項１３に記載の方法によって製造されるものである、発光物品。
【請求項１５】（ａ）熱硬化性積層用樹脂、熱硬化性注型用樹脂およびそれらの混合物から成る群より選択される熱硬化性成形用樹脂と熱硬化性ポリエステルゲルコート樹脂とを混合して、熱硬化性ポリエステル樹脂混合物を形成する工程；
（ｂ）熱硬化性ポリエステル樹脂混合物に対し重質燐光顔料を懸濁させるのに充分な量の懸濁用充填剤を添加する工程；および
（ｃ）熱硬化性ポリエステル樹脂混合物に燐光顔料を添加する工程；
から成る発光ポリマーを製造する方法。
【請求項１６】熱硬化性ポリエステル樹脂混合物が、オルトフタル酸ポリエステル樹脂、イソフタル酸ポリエステル樹脂、マレイン酸ポリエステル樹脂、フマル酸ポリエステル樹脂、グリコールポリエステル樹脂およびそれらの混合物から成る群より選択される、請求項１５に記載の発光ポリマーを製造する方法。
【請求項１７】樹脂混合物中に熱硬化性難燃性ポリエステル樹脂を混合する工程をさらに含む、請求項１５に記載の発光ポリマーを製造する方法。
【請求項１８】樹脂混合物中に熱硬化性軟質ポリエステル樹脂を混合する工程をさらに含む、請求項１５に記載の発光ポリマーを製造する方法。
【請求項１９】発光造形品を製造する方法であって、
（ａ）熱硬化性ポリエステルゲルコート樹脂を、熱硬化性積層樹脂、熱硬化性注型樹脂およびそれらの混合物から成る群より選択される熱硬化性の成形用樹脂と混合して、熱硬化性ポリエステル樹脂混合物を形成する工程；
（ｂ）熱硬化性ポリエステル樹脂混合に重質の燐光顔料を懸濁するのに十分な量の懸濁用充填剤を加える工程；
（ｃ）熱硬化性ポリエステル樹脂混合に燐光顔料を加える工程；
（ｄ）熱硬化性ポリエステル樹脂混合に触媒を加える工程；および
（ｅ）熱硬化性ポリエステル樹脂混合物を、発光造形品に造形する工程；から成る方法。
【請求項２０】発光造形品がガラス繊維織物により強化される、請求項１９に記載の発光造形品を製造する方法。
【請求項２１】請求項１９に記載の方法によって製造される発光造形品。
【請求項２２】発光ゲルコート付き製品を製造する方法であって、
熱硬化性ポリエステルゲルコート樹脂を、熱硬化性積層樹脂、熱硬化性キャスト樹脂およびそれらの混合物から成る群より選択される熱硬化性の成形用樹脂と混合して、熱硬化性ポリエステル樹脂混合物を形成する工程、
熱硬化性ポリエステル樹脂混合物に重質の燐光顔料を懸濁するのに十分な量の懸濁用充填剤を加える工程、
熱硬化性ポリエステル樹脂混合物に燐光顔料を加えて、発光熱硬化性ポリエステル樹脂混合物を形成する工程、
発光熱硬化性樹脂混合物に重合開始剤を加えて、触媒された熱硬化性発光樹脂混合物を
形成する工程、および
触媒された熱硬化性発光樹脂混合物をゲルコートとして製品の表面に塗布して、発光ゲルコート付き製品を製造する工程、から成る方法。
【請求項２３】請求項２２に記載の方法によって製造される発光ゲルコート付き製品。
【請求項２４】導電性基板層と、熱硬化性ポリエステル、懸濁用充填剤およびエレクトロルミネセント顔料を含む発光ポリマー層とを含むエレクトロルミネセントポリマー。
【請求項２５】前記導電基板層が、金属、導電層を備えたガラス、および導電性ポリマーから成る群より選択される、請求項２４に記載のエレクトロルミネセントポリマー。
【請求項２６】発光ポリマー層がスプレー、カーテンコーティング、スクリーン印刷、スプレッドコーティング、真空蒸着、イオンメッキ、スパッタリング、および化学蒸着から選択される方法により塗布される請求項２４に記載のエレクトロルミネセントポリマー。
【請求項２７】導電性ポリマーが導電性充填剤および導電性ファイバーから成る群より選択される材料により導電性にされている請求項２５に記載のエレクトロルミネセントポリマー。
【請求項２８】導電性ファイバーがステンレス鋼の導電性ファイバーから成る請求項２７に記載のエレクトロルミネセントポリマー。
【請求項２９】ａ）熱硬化性ポリエステル；
ｂ）懸濁用充填剤；
ｃ）エレクトロルミネセント燐光顔料；および
ｄ）導電性充填剤および導電性ファイバーから成る群より選択される導電性材料；を含む導電性エレクトロルミネセントポリマー。
【請求項３０】導電性ファイバーがステンレス鋼の導電性ファイバーから成る請求項２９に記載の導電性エレクトロルミネセントポリマー。
【請求項３１】静電散逸、半導電性、および導電性から成る群より選択される導電性のレベルを有する請求項２９に記載の導電性エレクトロルミネセントポリマー。
【請求項３２】導電性の静電散逸レベルが静電気防止特性を提供し、導電性の半導電性のレベルが電力ケーブル遮蔽を提供し、導電性の導電性の層が電磁干渉（ＥＭＩ）に対する保護を提供する請求項３１に記載の導電性エレクトロルミネセントポリマー。
【請求項３３】金属および透明導体でコートされた発光ポリマーから成り、該発光ポリマーが
ａ）熱硬化性ポリエステル；
ｂ）懸濁用充填剤；および
ｃ）エレクトロルミネセントする燐光顔料；を含む導電性エレクトロルミネセントポリマー。
【請求項３４】前記熱硬化性ポリエステルが、グリコール系熱硬化性ポリエステルである、請求項２４に記載のエレクトロルミネセントポリマー。
【請求項３５】前記熱硬化性ポリエステルが、プロピレングリコール、エチレングリコール、ネオペンチルグリコール、ジエチレングリコール、ジプロピレングリコール、１，４−ブタンジオール、ジブロモネオペンチルグリコール、２，２，４−トリメチルペンタン−１，３−ジオール、１，３−ブタンジオール、１，５−ペンタンジオール、１，３−プロパンジオール、ヘキシレングリコール、トリエチレングリコール、テトラエチレングリコールおよびそれらの混合物から成る群より選択されるグリコール構成成分を含む請求項２４に記載のエレクトロルミネセントポリマー。
【請求項３６】前記熱硬化性ポリエステルが、ネオペンチルグリコール、プロピレングリコール、エチレングリコール、ジエチレングリコール、ジプロピレングリコール、ジブロモネオペンチルグリコール、ビスフェノールジプロポキシエーテル、２，２，４−トリメチルペンタン−１，３−ジオール、テトラブロモビスフェノールジプロポキシエーテル、１，４−ブタンジオール、ビスフェノールＡ付加物、水素化ビスフェノールＡ、ＤＣ
ＰＤヒドロキシ付加物およびそれらの混合物から成る群より選択される多価アルコール構成成分を含む請求項２４に記載のエレクトロルミネセントポリマー。
【請求項３７】前記懸濁用充填剤が、シリカ、ミクロスフェア、ガラス繊維およびその他の短繊維、かすみ石閃長岩、長石、ガラスフレーク、軽石、雲母、炭酸カルシウム、硫酸マグネシウム、硫酸カルシウム、アルミナ三水和物およびそれらの混合物から成る群より選択される請求項２４に記載のエレクトロルミネセントポリマー。
【請求項３８】導電層と、請求項２４に記載のエレクトロルミネセントポリマーと、透明層とを備えたエレクトロルミネセントデバイス。